(57)【要約】【課題】簡単な操作でローラー走行用途と一般歩行用途の切り替えができ、利用者の意に反して用途の切り替えがなされるおそれがなく、安全に利用し得るローラーシューズを提供することを課題とする。【解決手段】踵部後面に進退可能に設置される操作ボタン２の押圧操作により、踵部底面に形成されたローラー収納部３に収納されたローラー４の出没操作が可能にされる。ローラー収納部３の両側に、ローラー軸７が摺動する軸摺動溝１０が形成され、軸摺動溝１０のそれぞれにローラー軸７に対して常時付勢する押出部材１１が配装され、操作ボタン２は、軸摺動溝１０のそれぞれの中間部を横切って進退する遮止部１２を有するストッパーに連結されていて、その押圧操作に伴って遮止部１２が軸摺動溝１０から外れることにより、ローラー軸７が、軸摺動溝１０内における遮止部１２の上側位置と下側位置との間を移動することで、ローラー４を出没させる。【選択図】図１
2011245112.tif 000002
【特許請求の範囲】
【請求項１】
踵部後面に進退可能に設置される操作ボタンの押圧操作により、前記踵部底面に形成されたローラー収納部に収納されたローラーの出没操作が可能であって、前記ローラーの出状態においてローラー走行が可能となり、前記ローラーの没状態において一般歩行が可能となるローラーシューズであって、
前記ローラー収納部は前記ローラーの全体が没する深さに形成されて、その両側に、前記踵部底面から浅く窪む凹陥部が連設されて、そこにローラー軸を支持する軸支板が取り付けられ、前記凹陥部の内底面から前記ローラー収納部の中間部まで垂直方向に切除することにより、前記ローラー軸が摺動する軸摺動溝が形成されて、前記軸摺動溝のそれぞれに前記ローラー軸に対して常時付勢する押出部材が配装され、
前記操作ボタンは、前記軸摺動溝のそれぞれの中間部を横切って進退する遮止部を有するストッパーに連結されていて、その押圧操作に伴って前記ストッパーの前記遮止部が前記軸摺動溝から外れて、前記ローラー軸が、前記軸摺動溝内における前記遮止部の上側位置と下側位置との間を移動することを許容することを特徴とするローラーシューズ。
【請求項２】
前記ストッパーは、前記操作ボタンが固定される連結板と、前記連結板から延びる一対の支持杆と、前記各支持杆に纏装されるリターンスプリングと、前記各支持杆の先端に連設されるコ字状部材とから成り、前記コ字状部材の上下いずれかの部分が前記遮止部である、請求項１に記載のローラーシューズ。
【請求項３】
前記押出部材はスプリングである、請求項１に記載のローラーシューズ。
【請求項４】
前記押出部材は弾性ブロックである、請求項１に記載のローラーシューズ。
【請求項５】
前記ローラーは、発光機能を有するものである、請求項１乃至４のいずれかに記載のローラーシューズ。
【発明の詳細な説明】
【技術分野】
【０００１】
本発明は、ローラーシューズに関するものであり、より詳細には、踵部に出没可能なローラーを有していて、該ローラーの出状態においてローラー走行ができ、該ローラーの没状態において通常のシューズとして歩行が可能なローラーシューズに関するものである。
【背景技術】
【０００２】
従来より、踵部底面、あるいは、底面の前後２箇所に出没可能なローラーを有していて、該ローラーの出状態においてローラー走行ができ、該ローラーの没状態において通常のシューズとして歩行が可能なローラーシューズとして種々のものが提唱され、製品化もされている（例えば、特開２００１−２５２３９０号公報、実用新案登録第３０６０７８１号公報、実用新案登録第３０８４４７８号公報、実用新案登録第３０８４８４４号公報）。
【０００３】
これらのうち前三者は、ローラーを指先で回動させてローラー収納部から引き出し、また、ローラー収納部へ押し戻すもので、その操作には手間と力が必要となり、また、機構も比較的複雑なものである。
【０００４】
一方、実用新案登録第３０８４８４４号公報に記載のものは、踵部後面において進退する制限ピンの進退動作に伴い、ローラーブロックを踵部底面に脱着できるようにしたものであり、そのローラーブロックは、一面がローラー機能部となっていて、その反対面が靴底形成部となっている。そして、ローラー走行用途と歩行用途の切り換えは、制限ピンを進退させてローラーブロックを踵部から外し、いずれかの面を選択して再度踵部に装着することによって行うものであるので、その操作は手間がかかって煩わしいものとなる。
【先行技術文献】
【特許文献】
【０００５】
【特許文献１】特開２００１−２５２３９０号公報
【特許文献２】実用新案登録第３０６０７８１号公報
【特許文献３】実用新案登録第３０８４４７８号公報
【特許文献４】実用新案登録第３０８４８４４号公報
【発明の概要】
【発明が解決しようとする課題】
【０００６】
上述したように、上記従来のローラー走行用途と歩行用途の切り換えが可能なローラーシューズの場合は、いずれも用途の切り換え操作が面倒であるという問題があった。そこで本発明はそのような問題のない、即ち、単に手又は足により、あるいは、壁面等を利用して操作ボタンを押圧操作するだけで、ローラー走行用途と一般歩行用途の切り替え操作を容易に行うことができ、また、利用者の意に反して用途の切り替えがなされるおそれがなく、安全に利用し得るローラーシューズを提供することを課題とする。
【課題を解決するための手段】
【０００７】
上記課題を解決するための請求項１に記載の発明は、踵部後面に進退可能に設置される操作ボタンの押圧操作により、前記踵部底面に形成されたローラー収納部に収納されたローラーの出没操作が可能であって、前記ローラーの出状態においてローラー走行が可能となり、前記ローラーの没状態において一般歩行が可能となるローラーシューズであって、前記ローラー収納部は前記ローラーの全体が没する深さに形成されて、その両側に、前記踵部底面から浅く窪む凹陥部が連設されて、そこにローラー軸を支持する軸支板が取り付けられ、前記凹陥部の内底面から前記ローラー収納部の中間部まで垂直方向に切除することにより、前記ローラー軸が摺動する軸摺動溝が形成されて、前記軸摺動溝のそれぞれに前記ローラー軸に対して常時付勢する押出部材が配装され、前記操作ボタンは、前記軸摺動溝のそれぞれの中間部を横切って進退する遮止部を有するストッパーに連結されていて、その押圧操作に伴って前記ストッパーの前記遮止部が前記軸摺動溝から外れて、前記ローラー軸が、前記軸摺動溝内における前記遮止部の上側位置と下側位置との間を移動することを許容することを特徴とするローラーシューズである。
【０００８】
一実施形態においては、前記ストッパーは、前記操作ボタンが固定される連結板と、前記連結板から延びる一対の支持杆と、前記各支持杆に纏装されるリターンスプリングと、前記各支持杆の先端に連設されるコ字状部材とから成り、前記コ字状部材の上下いずれかの部分が前記遮止部となる。
【０００９】
一実施形態においては、前記押出部材はスプリングとされ、あるいは、前記押出部材は弾性ブロックとされる。また、一実施形態においては、前記ローラーは、発光機能を有するものとされる。
【発明の効果】
【００１０】
本発明に係るローラーシューズは上記のとおりのものであり、踵部後面に進退可能に設置される操作ボタンの押圧操作に伴い、ストッパーの遮止部が軸摺動溝から外れてローラー軸の軸摺動溝内における摺動動作を許容するので、単に、手又は足により、あるいは、壁面等を利用して操作ボタンを押圧操作するだけで、ローラー収納部に収納されているローラーの出没操作が可能であり、ローラー走行用途形態と一般歩行用途形態の切り替え操作を容易に行い得る効果がある。
【００１１】
また、上記ローラー走行用途と一般歩行用途の切り替えは、操作ボタンを確実に押圧しないと行うことができないため、利用者の意に反して用途の切り替えがなされるおそれがなく、安全に利用し得る効果がある。特に、請求項５に記載の発明においては、ローラーが光ることによる装飾的効果が得られ、また、日没時や暗所においての安全使用が可能となる効果がある。
【図面の簡単な説明】
【００１２】
【図１】本発明に係るローラーシューズの要部分解斜視図である。
【図２】本発明に係るローラーシューズにおけるストッパーの構成例を示す斜視図である。
【図３】本発明に係るローラーシューズの歩行用途形態における各部の状態を示す要部断面図である。
【図４】本発明に係るローラーシューズの歩行用途形態からローラー走行用途形態へ移行する際の各部の状態を示す要部断面図である。
【図５】本発明に係るローラーシューズのローラー走行用途形態から歩行用途形態へ移行する際の各部の状態を示す要部断面図である。
【発明を実施するための形態】
【００１３】
本発明を実施するための形態につき、添付図面を参照しつつより詳細に説明する。本発明に係るローラーシューズは、踵部１の後面に進退可能に設置される操作ボタン２の押圧操作に伴い、踵部１の底面に形成されたローラー収納部３内において保持されているローラー４が出没動作し、ローラー４の約３分の１が露出する出状態のときにローラー走行が可能となり、ローラー４が没状態のときに一般歩行が可能となるものである。
【００１４】
図１は、本発明に係るローラーシューズの要部分解斜視図であり、そこに示されるように、ローラー収納部３はローラー４の全体が没する深さに形成される。ローラー収納部３は、単に踵部１を抉って形成することも可能であるが、通例、踵部１に形成した凹部内に、硬質プラスチック等製の収納部形成用ピース１４を嵌合することによって画成する（図３乃至５参照）。
【００１５】
ローラー収納部３の両側に、踵部１の底面から浅く窪む凹陥部５が連設され、そこに凹陥部５の深さに対応する厚さの軸支板６が、止めネジ９によるビス止め等により取り付けられる。軸支板６は、ローラー４が出状態にあるときにローラー軸７を受けてその抜けを防止するもので、通例、ローラー軸７が当接するその内面に、ローラー軸７の一部が収まる湾曲溝８が形成される（図１参照）。
【００１６】
凹陥部５の内底面からローラー収納部３の中間部付近まで垂直方向に切除されて、ローラー軸７が摺動する軸摺動溝１０が形成される。そして、各軸摺動溝１０に連ねてその奥側（シューズの側方側）に、軸摺動溝１０よりも深い支持孔１０ａが形成され（図３乃至５参照）、そこに、軸摺動溝１０に収まっているローラー軸７を、常時溝外に押し出すように作用する押出部材の下半部が収装される。この押出部材としては、通例、スプリング１１が用いられるが、ゴム又は弾性プラスチック製の弾性ブロックを用いることとしてもよい。
【００１７】
操作ボタン２は、各軸摺動溝１０の中程を横切って水平方向に進退する部分を有するストッパー１３に連結されていて、その押圧操作に伴ってストッパー１３の上記進退部分が軸摺動溝１０から外れることにより、ローラー軸７の軸摺動溝１０内における摺動動作が許容されるように構成される。
【００１８】
図示した実施形態においては、ストッパー１３は、操作ボタン２が固定される連結板１５と、連結板１５から延びる一対の支持杆１６と、各支持杆１６に纏装されるリターンスプリング１７と、各支持杆１６の先端に連設されるコ字状部材１８とから成っていて、収納部形成用ピース１４に組付けられる（特に図２参照）。
【００１９】
収納部形成用ピース１４はローラー４を収めるローラー収納部３と、ローラー収納部３に連設されていて連結板１５とリターンスプリング１７の一半部とを収め、且つ、ストッパー１３の進退動作を支持する支持区画３ａとを有している。支持区画３ａは、ローラー収納部３よりも幅広に形成される。操作ボタン２は、支持区画を形成する後面壁２１に形成された挿通孔２２を通り抜け可能にされるが、連結板１５は、後面壁２１の内側に位置していて、挿通孔２２を通り抜けることができない（図３参照）。
【００２０】
また、支持区画３ａを形成する中間壁２３から、ローラー収納部３の両側（シューズの両側方側）において爪先方向に延びるように段付き挿通孔２４が形成され、また、段付き挿通孔２４に連通させて、コ字状部材１８に対応する形状の空間部２５が形成される。リターンスプリング１７は、その一端面が連結板１５に当接し、他端面は段付き挿通孔２４の段部２４ａに当接するように配置される。
【００２１】
このリターンスプリング１７は、平時はその弾発力により連結板１５を押圧して後面壁２１に圧接させると共に、操作ボタン２の一部を踵部１の後面から突出させ、更に、操作ボタン２に一体化されているコ字状部材１８が、空間部２５に沿って踵部１の後面側に後退するように作用する（図３参照）。そして、操作ボタン２にその弾発力に抗する押し込み力が加えられると、連結板１５側から押し縮められて、操作ボタン２及びストッパー１３の内方向への移動を許容する（図４参照）。
【００２２】
上述したように、コ字状部材１８は空間部２５内を前後動するが、操作ボタン２が押されていない後退時においては、その軸摺動溝１０内を横切るように進退する遮止部１２が軸摺動溝１０内に露出するため、ローラー軸７は、その上下いずれの側からもその部分を通過することができなくなる（図３参照）。そして、コ字状部材１８が、操作ボタン２がリターンスプリング１７の弾発力に抗して押し込まれるに伴って内方向に前進すると、遮止部１２が軸摺動溝１０から引っ込んで隠れるため、ローラー軸７はその部分を通過することが可能となる（図４参照）。
【００２３】
次に、上記構成のローラーシューズの使用方法について説明する。利用者は、図３に示すローラー４が引っ込んだ歩行用途形態からローラー走行用途形態に移行しようとする場合、手や足を用いて操作ボタン２を強く押し込む。この操作ボタン２の押し込み操作は、操作ボタン２を壁面等に当てた状態でシューズを壁面等に押し付けることによって行うこともできる。
【００２４】
この操作ボタン２の押し込み操作前においては、遮止部１２が軸摺動溝１０内を横切るように露出しており、ローラー軸７はその上側に載っているため、ローラー４がローラー収納部３から出ることはない（図３参照）。そして、操作ボタン２の押し込み操作があると、ストッパー１３は強制的に内方向へ移動させられ、それに伴って、軸摺動溝１０内を横切るように露出していた遮止部１２が奥に引っ込んで隠れるため、ローラー軸７はその部分を通過することが可能となる。
【００２５】
ローラー軸７は、常時スプリング１１によって外方向（図３〜５において下方）に付勢されているので、遮止部１２が奥に引っ込むと同時に外方向に移動し、ローラー４の約３分の１の部分がローラー収納部３から出る（図４参照）。その後、操作ボタン２に対する押圧力が解除されると、リターンスプリング１７の作用で直ちに、連結板１５、ストッパー１３及び操作ボタン２が一体となって、踵部１後面側に移動する。その結果、遮止部１２が、ローラー軸７の上側を通って軸摺動溝１０内を横切るように移動し、ローラー軸７の上方への移動を阻止する。かくして、ローラー４に踏圧がかかってもローラー４がローラー収納部３内に引っ込むおそれはなくなり、その状態で安全にローラー走行することが可能となる。
【００２６】
このローラー走行用途形態から歩行用途形態に戻す場合には、ローラー４に踏圧を加えた状態で、上記同様にして操作ボタン２を押し込む。この操作ボタン２の押し込みによって遮止部１２が奥に引っ込むと、ローラー軸７はその部分を自由に通過できるようになる。その際ローラー４には踏圧がかかっているので、ローラー軸７は軸摺動溝１０内を上昇し、ローラー４はローラー収納部３内に収まる（図５参照）。
【００２７】
そして、その後操作ボタン２に対する押圧力が解除されると、リターンスプリング１７の作用で直ちに、連結板１５、ストッパー１３及び操作ボタン２が一体となって、踵部１後面側に移動する。その結果、遮止部１２がローラー軸７の下側を通って軸摺動溝１０内を横切るように移動し、ローラー軸７の下方への移動を阻止する（図３参照）。かくして、再度操作ボタン２が押圧されない限り、ローラー４がローラー収納部３から出るおそれはなくなり、その状態で安全に歩行することが可能となる。
【００２８】
このように本発明に係るローラーシューズは、単なる操作ボタン２の押圧操作だけでローラー４をローラー収納部３から出没させることができ、ローラー走行用途形態と歩行用途形態のいずれかを選択して、楽しく安全に使用することができる利点のあるものである。
【００２９】
なお、ローラー４に、例えば、ＬＥＤ、バッテリー、センサースイッチ等から成る発光回路を内蔵させることにより、発光機能を持たせることができ、そのようにした場合は、一層利用者の興味をそそるものとなるだけでなく、日没時や暗所においても安全に使用することが可能となる。
【００３０】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【符号の説明】
【００３１】
１      踵部
２      操作ボタン
３      ローラー収納部
３ａ    支持区画
４      ローラー
５      凹陥部
６      軸支板
７      ローラー軸
８      湾曲溝
９      止めネジ
１０      軸摺動溝
１１      スプリング
１２      遮止部
１３      ストッパー
１４      収納部形成用ピース
１５      連結板
１６      支持杆
１７      リターンスプリング
１８      コ字状部材
２１      後面壁
２２      挿通孔
２３      中間壁
２４      段付き挿通孔
２４ａ    段部
２５      空間部
【図１】
2011245112.tif 000003
【図２】
2011245112.tif 000004
【図３】
2011245112.tif 000005
【図４】
2011245112.tif 000006
【図５】
2011245112.tif 000007